(57)【特許請求の範囲】
【請求項１】
携帯電話、Ｗｅｂサーバ、および補聴器の制御装置を有する補聴器の制御システムであって、
前記携帯電話は、前記補聴器のタイプ、前記補聴器の品番、および前記補聴器の性能を特定するように指示し、かつ、通信回線を介して前記Ｗｅｂサーバから前記補聴器の各種特性を取得して表示する表示手段と、特定された前記補聴器のタイプ、前記補聴器の品番、および前記補聴器の性能に対応するトーン信号を前記補聴器の制御装置に送信する送信手段とを有し、
前記補聴器の制御装置は、前記携帯電話から前記トーン信号を検出する検出手段と、前記トーン信号に対応する設定機能に応じた出力信号を前記補聴器に出力することにより前記補聴器の各種特性を設定する設定手段とを有する、
補聴器の制御システム。
【請求項２】
前記検出手段は、前記補聴器の制御装置または前記補聴器の各種エラー情報を検出し、
前記表示手段は、前記検出手段からの検出情報に基づいて前記エラー情報を表示する、請求項１に記載の補聴器の制御システム。
【請求項３】
前記検出手段は、前記補聴器の制御装置または前記補聴器の電源が投入されることを検出し、前記表示手段は、前記電源が投入されたことを表示する、請求項２に記載の補聴器の制御システム。
【請求項４】
前記表示手段は、前記設定手段からの指令に基づき、前記補聴器の各種特性に応じた表示を行う、請求項２または３に記載の補聴器の制御システム。
【請求項５】
前記検出手段は、前記補聴器の制御装置または前記補聴器の電池が消耗されたことを検出し、前記表示手段は、前記消耗情報を表示する、請求項２〜４の何れかに記載の補聴器の制御システム。
【請求項６】
前記設定手段は、前記トーン信号の未入力時に低電力モードに移行する、請求項１〜５の何れかに記載の補聴器の制御システム。
【請求項７】
前記設定手段は、前記トーン信号が入力してから一定時間の間に前記トーン信号が入力しないときに電源を自動的に切る、請求項６に記載の補聴器の制御システム。
【発明の詳細な説明】
【０００１】
【発明の属する技術分野】
本発明は、携帯電話から出力されるトーン信号を利用して補聴器の各種特性を設定することができる補聴器の制御装置および補聴器の制御システムに関する。
【０００２】
【従来の技術】
一般に使用される補聴器にあっては、使用者の聴覚の状態に応じた種々の特性（例えば、音量、使用周波数）に設定することが可能となっており、この特性を設定するに際しては専用の制御装置を使用している。
【０００３】
従来のこの種の制御装置としては、例えば、特開平２−１４９２００号公報に記載されたようなものがあり、このものは、マイクロコントローラ、マスタープログラムモジュール、補聴器の特性データが記憶されるファームプログラムモジュール、キーボード、ディスプレイ、補聴器インターフェース等を備えている。
【０００４】
ファームプログラムモジュールには、複数個の補聴器が装着可能となっており、各メーカーの補聴器の種類によって必要とされる特性データの方式の選択が可能になっている。この選択時に、操作者はディスプレイに指示された項目をキーボードで選択しながら書込みデータの設定を行ない、この書込みデータで補聴器の各種特性を設定するようにしている。
【０００５】
【発明が解決しようとする課題】
しかしながら、このような従来の制御装置にあっては、キーボードやディスプレイを備えた専用のコントローラが必要となるため、装置の部品点数が増大してしまうとともに大型化してしまうという問題があった。
【０００６】
また、補聴器の設定は専門の技術者が行なう必要があり、専門の技術者が制御装置の前で補聴器の設定をしなければならず、すなわち、使用者が制御装置のある場所に行かなければならず補聴器を遠隔地から調整することができないという問題があった。
【０００７】
本発明は、上記従来の問題を解決するためのものであり、小型で、可搬性に優れ、かつ遠隔操作が可能な補聴器の制御装置および補聴器の制御システムを提供するものである。
【０００８】
【課題を解決するための手段】
本発明の補聴器の制御装置は、ＤＴＭＦ（Dual Tone Multi Frequency）等のトーン信号が入力される入力手段と、前記入力手段に入力されたトーン信号に対応した設定機能を有し、前記設定機能に応じた出力信号を前記補聴器に出力することにより、前記補聴器の各種特性を設定する設定手段とを備えて構成される。
【０００９】
このような構成により、トーン信号を出力可能な装置、例えば、携帯電話を制御装置に接続し、携帯電話から入力されたトーン信号に対応した設定機能に応じた出力信号を補聴器に出力することにより、補聴器の各種特性を簡単に設定することができる。
【００１０】
このため、小型で、かつ可搬性に優れた制御装置を提供することができる。
【００１１】
また、本発明の補聴器の制御装置は、前記制御装置または前記補聴器の各種エラー情報を検出する検出手段と、前記検出手段からの検出情報に基づいて前記エラー情報を表示する表示手段とを備えて構成される。
【００１２】
このような構成により、補聴器と制御装置が未接続のとき、操作者が入力したトーン信号が何等かの理由で無効となったとき、あるいは補聴器に故障等が発生したとき等の理由により、エラーが発生したときに、容易に確認することができる。
【００１３】
また、本発明の補聴器の制御装置は、前記検出手段は、前記制御手段または前記補聴器の電源が投入されたことを検出するとともに、前記表示手段は、前記電源が投入されたことを表示するように構成される。
【００１４】
このような構成により、電源の投入、未投入を容易に識別することができる。
【００１５】
また、本発明の補聴器の制御装置は、前記表示手段は、前記設定手段からの指令に基づき、前記補聴器の各種特性に応じた表示を行なうように構成される。
【００１６】
このような構成により、現在補聴器に対してどのような設定を行なっているのかを容易に把握することができる。
【００１７】
また、本発明の補聴器の制御装置は、前記検出手段は、前記制御装置または前記補聴器の電池が消耗されたことを検出するとともに、前記表示手段は、前記消耗情報を表示するように構成される。
【００１８】
このような構成により、使用者に電池の交換を容易に促すことができる。
【００１９】
また、本発明の補聴器の制御装置は、前記設定手段は、前記トーン信号の未入力時に低電力モードに移行するように構成される。
【００２０】
このような構成により、電力の使用を必要最小限に抑えることができる。
【００２１】
また、本発明の補聴器の制御装置は、前記設定手段は、前記トーン信号が入力してから一定時間の間に前記トーン信号が入力しないときにＣＰＵを停止させ、補聴器の電源供給を自動的に切るように構成される。
【００２２】
このような構成により、不要な待機電力が消費されるのを防止することができる。
【００２３】
また、本発明の補聴器の制御システムは、前記検出手段が、携帯電話から入力される前記トーン信号を検出し、前記携帯電話は、通信回線を介してＷｅｂサーバから前記補聴器の各種特性を取得して表示画面に表示する制御機能を有し、前記携帯電話を前記表示画面に表示された各種特性に応じて操作することにより、前記検出手段が前記携帯電話から前記トーン信号を検出するように構成される。
【００２４】
このような構成により、補聴器の各種特性の入力を既存の携帯電話を使用して行なうことができ、専用の構成装置が不要になる。このため、制御装置の製造コストが増大するのを防止することができる。
【００２５】
また、補聴器の制御装置に接続された携帯電話に他の電話機（ＰＨＳや有線の電話等）からトーン信号を送信することにより、制御装置を携帯電話を介して他の電話機で操作することができるため、制御装置を遠隔操作して補聴器を調整することができる。
【００２６】
さらに、携帯電話の画面表示に従って携帯電話を操作して操作内容に応じたトーン信号を制御装置に出力することにより、補聴器の各種特性を簡単に設定することができる。
【００２７】
【発明の実施の形態】
以下、本発明の実施形態を図面に基づいて説明する。
【００２８】
図１〜図10は本発明に係る補聴器の制御装置および補聴器の制御システムの一実施形態を示す図である。
【００２９】
まず、構成を説明する。図１は補聴器の制御システムを示す図であり、図１において、制御システム１は、補聴器ケーブル２ａを介して補聴器２に接続されるコントローラ（制御装置）３と、コントローラ３にケーブル４を介して接続される携帯電話５と、通信タワー６を介して接続可能なサーバ装置（ＮＴＴドコモグループが開発したｉモードサービスを提供するｉモードＷｅｂサーバ等）７とを備えて構成されている。
【００３０】
補聴器２は各種特性を有しており、その各種特性としては、ＣＦ（Crossover  Frequence）、ＴＫ（閾値設定）、Ｌｏｗ（低域側調整）、Ｈｉｇｈ（高域側調整）、ＭＯＰ（最大出力設定）、Ｖｏｌ（音量設定）等がある。
【００３１】
コントローラ３（制御装置）は、図２に示すように、携帯電話５の操作ボタン５ａ、すなわち、テンキー、＃、＊等を押下することにより、出力されるＤＴＭＦ（Dual Tone Multi Frequency）トーン（信号）が入力され、このＤＴＭＦトーンを検出するＤＴＭＦトーン検出手段（入力手段）11と、ＤＴＭＦトーン検出手段11が検出したＤＴＭＦトーン（信号）に対応した設定機能（後述）を有し、この設定機能に応じた出力信号を生成するＣＰＵ（Central Processing Unit)、ＲＯＭ（Read Only Memory)、ＲＡＭ（Random Access Memory)等からなるコマンド判定手段（設定手段）12と、補聴器の機種とその機種に応じた設定機能が関連付けられて記憶されたデータテーブル記憶手段13と、補聴器２に接続され、コマンド判定手段12によって設定された機能に応じた信号を補聴器２に出力する補聴器インターフェース14と、補聴器２の電源を制御する補聴器電源制御手段15と、コントローラ３の各種表示を行なう表示手段22とから構成されている。
【００３２】
表示手段22は、図３で示すように電源の投入時に点灯される電源表示部（ＰＯＷＥＲで示す）17、補聴器表示部（ＨＡで示す）18、電話表示部（ＴＥＬで示す）19、性能表示部（ＰＡＲＡＭＥＴＥＲで示す）20およびエラー表示部21を備えており、これら各表示部17〜21は全てＬＥＤから構成されている。
【００３３】
電源表示部17は、電源投入スイッチ16がＯＮされたときに点灯するとともに、電源ＯＦＦ時に消灯するようになっている。また、電源表示部17はコントローラ３の電池が消耗したときに点滅するとともに、電池が過放電したときに消灯するようになっている。
【００３４】
また、補聴器表示部18は、補聴器２への電源供給がＯＦＦのときに消灯するとともに、補聴器２への電源供給がＯＮのときに点灯するようになっている。また、補聴器２とコントローラ３が通信中のときに一瞬消灯後に点灯するとともに、補聴器２内に電池が入ったままの場合に遅い点滅を行ない、さらに、コントローラ３と補聴器２の接続エラーが発生したときに速く点滅するようになっている。
【００３５】
また、電話表示部19は待機時には消灯しており、携帯電話５からＤＴＭＦトーンが入力されときに点滅するようになっている。
【００３６】
また、性能表示部20は６つの表示部20ａ〜20ｆを備えており、表示部20ａは携帯電話５からＬｏｗに相当するトーン信号が入力したときに点灯し、表示部20ｂは携帯電話５からＨｉｇｈに相当するトーン信号が入力したときに点灯し、表示部20ｃは携帯電話５からＭＯＰに相当するトーン信号が入力したときに点灯し、表示部20ｄは携帯電話５からＣＦに相当するトーン信号が入力したときに点灯し、表示部20ｅは携帯電話５からＴＫに相当するトーン信号が入力したときに点灯し、表示部20ｆはＤＴＭＦトーンからＶｏｌに相当するトーン信号が入力したときに点灯するようになっている。また、性能表示部20は補聴器２の設定が終了したときに消灯する。
【００３７】
また、エラー表示部21は、例えば、携帯電話５から入力したＤＴＭＦ信号が何等かの理由で無効となったとき、あるいは補聴器２に故障が発生したとき等の理由によりエラーが発生したときに、点灯するとともに、正常時に消灯するようになっている（以上の表示手段22の表示内容は図４参照）。
【００３８】
また、これらの上述した各種エラー検出や電池の残量検出等はコマンド判定手段12によって検出されるようになっており、コマンド判定手段12はこれら検出情報に基づいて表示手段22を点灯制御するようになっている。
【００３９】
なお、本実施形態では、コマンド判定手段12が設定手段を構成している。
【００４０】
また、コマンド判定手段12は携帯電話５からＤＴＭＦトーンが入力されないときに、コントローラ３のＣＰＵの動作を停止する低電力モードに移行するようになっており、携帯電話５からＤＴＭＦ信号が入力した時点でコントローラ３のＣＰＵの動作を開始して電力を供給するようになっている。
【００４１】
また、コマンド判定手段12は、タイマーを備えており、携帯電話５からＤＴＭＦトーンが入力してから一定時間の間にＤＴＭＦトーンが入力されないときに電源を自動的に切るようになっている。
【００４２】
一方、図１において、携帯電話５から通信タワー６を介してサーバ装置７に接続されており、サーバ装置７のｗｅｂ上のプログラムをダウンロードして表示するようになっている。
【００４３】
具体的には、図５に示すように、ｗｅｂの検出画面（状態０）、補聴器のタイプの選択画面（状態１）、補聴器の品番の選択画面（状態２）、補聴器の性能の選択画面（状態３）、各性能のそれぞれを調整する選択画面（状態４）が表示されるようになっている。
【００４４】
また、サーバ装置７のｗｅｂはＰＣ８からアップロード可能になっており、ＰＣ７を使って性能等が逐次更新可能になっている。
【００４５】
また、携帯電話５は中継機９を介して他の電話機（ＰＨＳや有線の電話機等）10からＤＴＭＦトーンが入力可能になっており、コントローラ３は他の電話機10を操作することにより、携帯電話５を介して遠隔操作可能になっている。
【００４６】
次に、図６〜図10のフローチャートに基づいて補聴器２の性能設定方法を説明する。なお、図６〜図10のフローチャートは、コマンド判定手段12のＲＯＭに記憶され、ＣＰＵによって実行される制御プログラムである。
【００４７】
まず、図６のフローチャートに基づいて電源スイッチ16をＯＮにしたときの処理を説明する。
【００４８】
まず、電源スイッチ16をＯＮにして電源を投入すると（ステップＳ1）、リセットされた後（ステップＳ2）、コマンド設定手段12のＣＰＵの作動が開始される（ステップＳ3）。次いで、ＣＰＵのポートやレジスタが設定された後（ステップＳ4）、電源表示部17が点灯されるとともに、コントローラ３の各電子機器に電力供給を停止してＤＴＭＦトーンの入力待ち状態となる（ステップＳ5）。
【００４９】
次に、図７、８のフローチャートに基づいて補聴器２とコントローラ３の接続時の処理と接続エラー検出時の処理を説明する。
【００５０】
図７において、まず、補聴器２とコントローラ３の接続状態を検出し（ステップＳ11）、補聴器２とコントローラ３の接続が十分でない場合には、図８のステップＳ21においてエラーフラグをＯＮにする。次いで、エラー表示部21を点灯させた後（ステップＳ22）、補聴器表示部18を速く点滅させる（ステップＳ23）。
【００５１】
一方、ステップＳ11で補聴器２とコントローラ３の接続が正常である場合には、今回コントローラ３に接続された補聴器と前回コントローラ３に接続された補聴器が同じであるか否かを判別するために、補聴器２のメモリチップのＩＤを検出した後、メモリチップからデータを読み出す（ステップＳ12）。ここで、正常に読み出せない場合には、エラーと判断して図８のフローチャートを実行する。
【００５２】
次いで、データを正常に読み込めた場合には、補聴器の機種が前回と一致していたか否かを判別し（ステップＳ13）、一致していた場合には今回の処理を終了する。
【００５３】
次に、図９のフローチャートに基づいて、コントローラ３にＤＴＭＦトーンが入力したときの割込み処理を説明する。
【００５４】
まず、ＤＴＭＦトーン検出手段11に携帯電話５のからテンキー、＃、＊等に対応したＤＴＭＦトーンが入力した場合には、ＣＰＵの停止を解除した後（ステップＳ31）、割込み処理を禁止する（ステップＳ32）。次いで、入力したＤＴＭＦシリアルデータをコマンド設定手段12で読み取った後（ステップＳ33）、ＤＴＭＦデータをＲＡＭに一旦格納して（ステップＳ34）、割込み処理を許可して（ステップＳ35）、処理を終了する。
【００５５】
次に、図10のフローチャートおよび図５の携帯電話５の出力画面に基づいて携帯電話５からコントローラ３にＤＴＭＦトーンを入力して補聴器２を制御する方法を説明する。
【００５６】
まず、携帯電話５を操作してサーバ装置７を呼び出して補聴器の調整を行なうｗｅｂを表示する（図５の状態０）。ここで、操作者は操作ボタンの＊を押下すると、図５の状態１の画面に移行する。次いで、調整する補聴器を選択するために補聴器のタイプ１〜４の中から所望のタイプの補聴器を選択するために操作ボタンの１〜４の何れかを押下する。
【００５７】
このとき、押下した操作ボタンに対応して図５の状態２の画面に移行するため、補聴器の品番を選択するために画面の指示に従って操作ボタンを操作する。このとき、図５の状態３の画面に移行するため、画面の指示に従って補聴器の性能を選択する。このとき、状態４の画面に移行するために、画面の指示に従って操作ボタンを押下して各種性能をそれぞれ選択する。
【００５８】
携帯電話５でこのような操作を行なったときにコントローラ３は、図９のフローチャートを実行する。このフローチャートの具体的なフローチャートが図10で示すものである。
【００５９】
すなわち、携帯電話５から出力されるＤＴＭＦトーンをＤＴＭＦトーン検出手段11で検出したときにコマンド判定手段12でＤＴＭＦトーンを判別する。このとき、データテーブル記憶手段13に記憶されたデータを参照して状態を判断する（データテーブル記憶手段13には状態０〜４に対応した補聴器の機種の性能が格納されている）。
【００６０】
まず、状態で０である場合には、＊が入力したか否かを判別し（ステップＳ41）、正常に入力しなかった場合には、エラー表示部21を点灯し（ステップＳ42）、正常に入力した場合には、待機状態に移行する（ステップＳ43）。
【００６１】
次いで、状態１である場合には、状態１に設定されたか否かを判別した後、＊が入力された場合に初期化処理であるReady処理を実行し、テンキーが入力された場合には（ステップＳ46）、補聴器２のタイプに対応した１〜４の何れかのＤＴＭＦトーンが入力されたか否かを判別する（ステップＳ47）。
【００６２】
ここで、ＤＴＭＦトーンが１であった場合には補聴器のタイプがＣＩＣ、２であった場合にはカナル、３であった場合にはコンチャ、４であった場合には耳かけである。そして、このＤＴＭＦトーンの何れかが入力されたものであるか判別し、正常に入力しなかった場合には、エラー表示部21を点灯し（ステップＳ48）、正常に入力した場合に補聴器２のタイプ情報をＲＡＭに記憶した後（ステップＳ49）、現在の状態２として復帰する（ステップＳ50）。
【００６３】
次いで、状態２に設定されたか否かを判断した後、＊が入力された場合に初期化処理であるReady処理を実行し、テンキーが入力された場合には（ステップＳ51）、補聴器２の品番に対応した１〜３の何れかのＤＴＭＦトーンが入力されたか否かを判別する（ステップＳ52）。
【００６４】
ここで、ＤＴＭＦトーンが正常に入力しなかった場合には、エラー表示部21を点灯し（ステップＳ53）、正常に入力した場合に補聴器２の品番情報をＲＡＭに記憶した後（ステップＳ54）、補聴器電源制御手段15からの検出情報に基づいて補聴器の電池があるか否かを判別する（ステップＳ55）。
【００６５】
このとき、補聴器２内に電池がある場合には、既に前に調整していた補聴器がコントローラ３に接続されていたものと判断してエラー表示部21にバッテリーエラーとして表示を行ない（ステップＳ56）、電池がない場合には、すなわち、今回調整する補聴器をコントローラ３に接続して補聴器２の電源をＯＮにする（ステップＳ57）。
【００６６】
次いで、補聴器２が正常に接続されているか否かを確認し（ステップＳ58）、正常に接続されていない場合には、補聴器表示部18の点滅を速く行なってエラー表示を行なう（ステップＳ59）。また、正常に接続されている場合には、データを読み込んで（ステップＳ60）、補聴器２の機種とＩＣが一致しているか否かを判別し（ステップＳ61）、一致していない場合には補聴器表示部18の点滅を速く行なってエラー表示を行なう（ステップＳ62）。
【００６７】
また、補聴器の機種とＩＣが一致している場合には参照データとして補聴器２の機種とＩＣデータを記憶して（ステップＳ63）、現在の状態３として復帰する（ステップＳ64）。
【００６８】
次いで、状態３に設定されたか否かを判断した後、＊が入力された場合に初期化処理であるReady処理を実行し、テンキーが入力された場合には（ステップＳ65）、補聴器２の性能に対応した１〜６の何れかのＤＴＭＦトーンが入力されたか否かを判別する（ステップＳ66）。
【００６９】
ここで、ＤＴＭＦトーンが０であれば全てのパラメータ、ＤＴＭＦトーンが１であればＣＦ、２であればＴＫ、３であればＬｏｗ、４であればＨｉｇｈ、５であればＭＯＰ、６であればＶｏｌと判断する。そして、ＤＴＭＦトーンが正常に入力しなかった場合には、エラー表示部21を点灯し（ステップＳ67）、正常に入力した場合に性能のパラメータを選択する（ステップＳ68）。
【００７０】
また、補聴器２のＬｏｗゲインを調整する場合には、図５に示すようにコマンド判定手段12は３が入力したことで判断を行なう。次いで、補聴器２がコントローラ３から不意に取外されて不要に調整終了が発生するのを防ぐために、補聴器２がコントローラ３に正常に接続されているか否かを判別し（ステップＳ69）、正常に接続されている場合には現在の状態４として復帰する（ステップＳ70）。
【００７１】
次いで、状態４に設定されたか否かを判断した後、＊が入力された場合に初期化処理であるReady処理を実行し、テンキーと♯が入力された場合には、＃と補聴器２の性能に対応した２桁の数値が入力したか否かを判別する（ステップＳ71、Ｓ72、Ｓ73）。ここで、図５の状態４に示すように、例えば、携帯電話５にＣＰ２５０のＬｏｗ調整の画面表示が行なわれている場合には、２桁の数字の最後に＃（例えば、０６＃）を押下する調整操作が行なわれる。また、ＣＰ２５０聴力型書込みの画面表示が行なわれている場合には、例えば、７７＃を押下する調整操作が行なわれる。
【００７２】
このとき、このＤＴＭＦトーンを判定した後、補聴器２がコントローラ３から不意に取外されて不要に調整終了が発生するのを防ぐために、補聴器２がコントローラ３に正常に接続されているか否かを判別し（ステップＳ74）、正常に接続されている場合には補聴器２にこの性能に応じた書込みを行なって（ステップＳ75）現在の状態３として復帰し（ステップＳ76）、状態３のステップＳ65〜70の処理を実行する。
【００７３】
また、このときには調整される性能に応じた表示部20ａ〜20ｆの何れか１つが表示される。
【００７４】
一方、ステップＳ72で＃のＤＴＭＦトーンを検出しない場合には、前回の値を４ビット左にシフトした後（ステップＳ77）、今回の値を下位に４ビットシフトしてＲＡＭに格納して復帰する（ステップＳ78、Ｓ79）。
【００７５】
このように本実施形態では、ＤＴＭＦトーンを検出するＤＴＭＦ検出手段11と、ＤＴＭＦ検出手段11が検出したＤＴＭＦトーンに対応した設定機能を有し、設定機能に応じた出力信号を補聴器２に出力することにより、補聴器２の各種特性を設定するコマンド判定手段12とを備えたコントローラ３を設けたため、ＤＴＭＦトーンに対応した設定機能に応じた出力信号を補聴器２に出力することにより、補聴器２の各種特性を簡単に設定することができる。このため、小型で、かつ可搬性に優れたコントローラ３を提供することができる。
【００７６】
また、コマンド判定手段12によってコントローラ３または補聴器２の各種エラー情報を検出するとともに、このエラー情報を表示手段22で表示するようになっているため、補聴器２とコントローラ３が未接続のとき、操作者が入力したＤＴＭＦトーンが何等かの理由で無効となったとき、あるいは補聴器２に故障等が発生したとき等の理由により、エラーが発生したときに、容易に確認することができる。
【００７７】
また、補聴器２の電源が投入されたことを補聴器電源制御手段15によって検出するとともに、電源が投入されたことを電源表示部17によって表示しているので、電源の投入、未投入を容易に識別することができる。
【００７８】
また、表示部20によって補聴器２の各種特性に応じた表示を行なうようにしたため、現在補聴器に対してどのような設定を行なっているのかを容易に把握することができる。
【００７９】
また、コントローラ３の電池が消耗されたことを検出するとともに、この消耗情報を電源表示部17によって表示するので、使用者に電池の交換を容易に促すことができる。
【００８０】
また、ＤＴＭＦ信号の未入力時にコントローラ３の各電子機器を低電力モードに移行するようにしたため、電力の使用を必要最小限に抑えることができる。
【００８１】
また、ＤＴＭＦ信号が入力してから一定時間の間にＤＴＭＦ信号が入力しないときにＣＰＵを停止するように構成したため、不要な待機電力が消費されるのを防止することができる。
【００８２】
また、本実施形態では、コントローラ３が携帯電話５から入力されるＤＴＭＦ信号を検出し、携帯電話５が、通信回線を介してサーバ装置７から補聴器２の各種特性を取得して表示画面に表示する制御機能を有し、携帯電話５を表示画面に表示された各種特性に応じて操作することにより、ＤＴＭＦ検出手段11が携帯電話５からＤＴＭＦ信号を検出するようにしたため、補聴器２の各種特性の入力を既存の携帯電話を使用して行なうことができ、専用の構成装置が不要になる。このため、コントローラ３の製造コストが増大するのを防止することができる。
【００８３】
また、携帯電話５の画面表示に従って携帯電話５を操作して操作内容に応じたＤＴＭＦ信号を制御装置に出力することにより、補聴器２の各種特性を簡単に設定することができる。
【００８４】
なお、本実施形態では、携帯電話５によってコントローラ３にＤＴＭＦトーンを出力しているため、携帯電話５に他の電話機10からＤＴＭＦ信号を送信することにより、コントローラ３を携帯電話５を介して他の電話機10で操作することができ、コントローラ３を遠隔操作して補聴器２を調整することができる。
【００８５】
なお、本実施形態では、サーバ装置７のＷｅｂ上のプログラムをダウンロードして表示するようにしたが、携帯電話にダウンロードして実行するアプリケーション実行型のプログラムでも良い。
【００８６】
【発明の効果】
本発明によれば、小型で、かつ可搬性に優れた制御装置を提供することができるとともに、遠隔操作可能な制御システムを提供することができる。
【図面の簡単な説明】
【図１】本発明に係る補聴器の制御装置および補聴器の制御システムの一実施形態を示す図であり、そのシステム構成図
【図２】一実施形態のコントローラのブロック図
【図３】一実施形態のコントローラの表示手段を示す図
【図４】一実施形態の表示手段と表示状態の関係を示す図
【図５】一実施形態の携帯電話の各種表示画面を示す図
【図６】一実施形態のコントローラの電源をＯＮにしたときの初期化処理のフローチャート
【図７】一実施形態のコントローラと補聴器の接続状態を検出する処理を示すフローチャート
【図８】一実施形態のコントローラに補聴器が正常に接続されていないときの処理を示すフローチャート
【図９】一実施形態のコントローラにＤＴＭＦトーンが入力したときの処理を示すフローチャート
【図１０】一実施形態のコントローラによって補聴器を調整する処理を示すフローチャート
【符号の説明】
１    制御システム
２    補聴器
３    コントローラ（制御装置）
５    携帯電話
７    サーバ装置
11    ＤＴＭＦトーン検出手段（入力手段）
12    コマンド設定手段（設定手段、検出手段）
22    表示手段
【図１】
0004308451.tif 000002
【図２】
0004308451.tif 000003
【図３】
0004308451.tif 000004
【図４】
0004308451.tif 000005
【図５】
0004308451.tif 000006
【図６】
0004308451.tif 000007
【図７】
0004308451.tif 000008
【図８】
0004308451.tif 000009
【図９】
0004308451.tif 000010
【図１０】
0004308451.tif 000011